(57)【特許請求の範囲】
【請求項１】
踏み板に嵌合凹部が設けられ、桁にクサビ体挿入用切込み部とそこに圧入されてなるクサビ体と踏み板取付け用凸部とからなる嵌合凸部を持つ踏み板挿入部が設けられており、踏み板を桁の踏み板挿入部に挿入させるとともに嵌合凹部と嵌合凸部を嵌合させて踏み板を桁に固定する階段の踏み板の固定構造であって、踏み板取付け用凸部はその前端面に向かうほど幅寸法が小さくなっているテーパー状とされ、嵌合凸部におけるクサビ体は踏み板の嵌合凹部と踏み板取付け用凸部との間に形成される隙間を埋めるようにクサビ体挿入用切込み部に圧入され、踏み板の踏み板挿入部への挿入時にクサビ体の後背面を嵌合凹部に当接させ、踏み板が挿入されるにしたがいクサビ体をクサビ体挿入用切込み部に圧入するようにして嵌合凹部と嵌合凸部とを嵌合させることを特徴とする階段の踏み板の固定構造。
【発明の詳細な説明】
【技術分野】
【０００１】
本願発明は、階段の踏み板の固定構造に関するものである。
【背景技術】
【０００２】
従来、たとえば図５に例示したように、オープン階段とよばれる、片側または両側に壁３を設けずに施工して、開放的な空間を演出する階段が知られている（たとえば下記特許文献１も参照）。
【０００３】
図５のオープン階段は、片側にのみ壁３を設けており、壁３に固定される側板４とこれに対向して反対側に設けられる桁２との間に踏み板１を渡した形態となっている。また、踏み板１間に蹴込板を設けないことで、より開放的な空間演出を図っている。
【０００４】
このオープン階段の施工では、たとえば図６に例示したように、踏み板１に矩形状の嵌合凹部１１を設け、桁２には嵌合凹部１１と対応する矩形状の嵌合凸部２２を持つ踏み板挿入部２１を設けておき、踏み板１を桁２の踏み板挿入部２１に挿入させるとともに嵌合凹部１１と嵌合凸部２２を嵌合させることで、踏み板１を桁２に取り付けることがしばしば行われている。このとき、嵌合凹部１１と嵌合凸部２２が嵌合しやすいように、幅方向のクリアランスを設けるべく、嵌合凹部１１の幅寸法Ｗ１を嵌合凸部２２の幅寸法Ｗ２より大きくしている。
【特許文献１】特開平６−３２２９１７号公報
【発明の開示】
【発明が解決しようとする課題】
【０００５】
しかしながら、上記のように幅方向にクリアランスを設けることで踏み板１と桁２との固定強度は低下し、踏み板１の荷重によるたわみ等によりキシミ音が発生するという問題があった。この問題を解消するために、クリアランスをなくして踏み板１の桁２への固定をより確実に行うことが考えられるが、この場合には踏み板１の嵌合凹部１１と桁２の嵌合凸部２２を容易に嵌合させることができず作業性に難があった。
【０００６】
そこで、本願発明では、踏み板を桁に確実に取り付けて固定させることができるとともに、その取り付け作業を容易に行うことができる階段の踏み板の固定構造を提供することを課題としている。
【課題を解決するための手段】
【０００７】
本願発明の階段の踏み板の固定構造は、前記の課題を解決するものとして、第１には、踏み板に嵌合凹部が設けられ、桁にクサビ体挿入用切込み部とそこに圧入されてなるクサビ体と踏み板取付け用凸部とからなる嵌合凸部を持つ踏み板挿入部が設けられており、踏み板を桁の踏み板挿入部に挿入させるとともに嵌合凹部と嵌合凸部を嵌合させて踏み板を桁に固定する階段の踏み板の固定構造であって、踏み板取付け用凸部はその前端面に向かうほど幅寸法が小さくなっているテーパー状とされ、嵌合凸部におけるクサビ体は踏み板の嵌合凹部と踏み板取付け用凸部との間に形成される隙間を埋めるようにクサビ体挿入用切込み部に圧入され、踏み板の踏み板挿入部への挿入時にクサビ体の後背面を嵌合凹部に当接させ、踏み板が挿入されるにしたがいクサビ体をクサビ体挿入用切込み部に圧入するようにして嵌合凹部と嵌合凸部とを嵌合させることを特徴とする。
【発明の効果】
【００１１】
上記第１の発明によれば、踏み板の踏み板挿入部への挿入時にクサビ体の後背面を嵌合凹部に当接させ、踏み板が挿入されるにしたがいクサビ体をクサビ体挿入用切込み部に圧入するようにして嵌合凹部と嵌合凸部とを嵌合させることにより、踏み板を桁に確実に取り付けて固定させることができるとともに、その取り付け作業を容易に行うことができる。また、踏み板取付け用凸部はその前端面に向かうほど幅寸法が小さくなっているテーパー状とされており、嵌合凸部におけるクサビ体は、踏み板の嵌合凹部と踏み板取付け用凸部との間に形成される隙間を埋めるようにクサビ体挿入用切込み部に圧入されていることにより、さらに確実に踏み板を桁に取り付けて固定させることができる。
【発明を実施するための最良の形態】
【００１５】
本願発明は上記のとおりの特徴をもつものであるが、以下に図面に沿ってその実施の形態について説明する。図１は本願発明における踏み板と桁との固定構造を説明するための断面図である。図２は階段の右側部である踏み板の固定構造を示した斜視図である。なお、本願発明における階段の踏み板の固定構造は、たとえば図５に示した、壁３に固定される側板４とこれに対向して反対側に桁２が設けられているようなオープン階段の踏み板１の固定構造に限られるものではなく、側板４と組で用いられずに１本の桁２が踏み板１の略中央にくるような階段の踏み板の固定構造をも対象としている。
【００１６】
本願発明の階段の踏み板の固定構造は、たとえば図１，２に示すように、踏み板１に嵌合凹部１１が設けられ、桁２にクサビ体挿入用切込み部２５（図２では図示なし）とそこに圧入されてなるクサビ体２３（図２では図示なし）と踏み板取付け用凸部２４とからなる嵌合凸部２２を持つ踏み板挿入部２１が設けられている。そして、踏み板１を桁２の踏み板挿入部２１に挿入させる際にクサビ体２３の後背面２３２を嵌合凹部１１に当接させ、踏み板１が挿入されるにしたがいクサビ体２３を踏み板１の挿入方向に沿ってクサビ体挿入用切込み部２５に圧入するようにして嵌合凹部１１と嵌合凸部２２とを嵌合させて、踏み板１を桁２に固定している。なお、踏み板１の嵌合凹部１１の大きさは、桁２の嵌合凸部２２の大きさよりも若干大きくなるように幅方向にクリアランスを設けるようにすることが好ましい。これによって、踏み板１を容易に踏み板挿入部２１に挿入することができる。
【００１７】
より具体的には、たとえば図１に示すように、踏み板取付け用凸部２４の前端面２４２にクサビ体挿入用切込み部２５を設け、このクサビ体挿入用切込み部２５にクサビ体２３を圧入するようにしてもよい。クサビ体２３の形状としては、先端部２３１に向かうほど断面が小さくなっており、その先端部２３１から前記クサビ体挿入用切込み部２５に圧入させている。たとえば図３に示すように、断面形状が角形のもので幅寸法が徐々に狭くなっている四角錐台形状のものであってもよい。
【００１８】
以上のようなクサビ体２３は、その先端部２３１をクサビ体挿入用切込み部２５にあらかじめ所定量挿入させておくようにすることが考慮される。すなわち、クサビ体２３の先端部２３１の一部をクサビ体挿入用切込み部２５に挿入した状態で、踏み板１を桁２の踏み板挿入部２１に挿入するものである。これによって、踏み板１を桁２の踏み板挿入部２１に挿入させるときには、クサビ体２３の後背面２３２が嵌合凹部１１の凹面１１１に確実に当接することになり、クサビ体２３を目的の位置に容易に圧入させることができる。また、クサビ体２３をクサビ体挿入用切込み部２５の位置に位置決めしながら踏み板１を桁２の踏み板挿入部２１に挿入させる作業は非常に手間がかかるため、この作業を容易なものとすることもできる。
【００１９】
したがって、クサビ体挿入用切込み部２５の幅は、クサビ体２３の先端部２３１をあらかじめ挿入できる程度の幅で切り込まれていることが考慮される。クサビ体挿入用切込み部２５の位置や切込みの長さは、クサビ体２３を圧入したときに踏み板取付け用凸部２４の前端部２４１が外方に膨出するような位置であれば特に限定されるものでない。なお、本願発明では、踏み板取付け用凸部２４の前端面２４２にクサビ体挿入用切込み部２５を１箇所設け、１本のクサビ体２３を用いてもよいが、好適には、図１に示したように、踏み板取付け用凸部２４の前端面２４２の両端２箇所にクサビ体挿入用切込み部２５を設け、それぞれのクサビ体挿入用切込み部２５にクサビ体２３を圧入することが考慮される。たとえば、クサビ体２３として四角錐台形状のものを用いた場合には、このクサビ体２３は長手方向にテーパー状になっているため、クサビ体２３がクサビ体挿入用切込み部２５に徐々に圧入されるにしたがい踏み板取付け用凸部２４の右前端部２４１ａおよび左前端部２４１ｂがクサビ体２３に沿って外方に向かって拡がり、踏み板取付け用凸部２４の前端部２４１が外方に膨出する。これによって、クサビ体挿入用切込み部２５とそこに圧入されてなるクサビ体２３と踏み板取付け用凸部２４とからなる嵌合凸部２２は嵌合凹部１１と強固に嵌合されることになり、踏み板１が桁２に確実に固定されるのである。
【００２０】
本願発明の階段の踏み板の固定構造の別の実施形態を示した断面図を図４に示す。
【００２１】
この図４によれば、桁２の踏み板挿入部２１における踏み板取付け用凸部２４は、その前端部２４１に向かうほど幅寸法が小さくなっており、断面形状が角形のテーパー状とされている（四角錐台形状ともいえる）。
【００２２】
クサビ体挿入用切込み部２５は、踏み板取付け用凸部２４と隣接する位置に設けられており、クサビ体２３は、踏み板取付け用凸部２４の内側面２４３と対向する位置に配置され、踏み板１の嵌合凹部１１と踏み板取付け用凸部２４との間で形成される隙間を埋めるようクサビ体挿入用切込み部２５に圧入される。
【００２３】
クサビ体２３の形状については、踏み板１の嵌合凹部１１と踏み板取付け用凸部２４との間に形成される隙間を埋めるような形状であれば特に限定されるものではない。たとえば、断面形状が角形のもので先端部２３１に向かうほど幅寸法が徐々に狭くなっている四角錐台形状のものであってもよく、その後背面２３２が嵌合凹部１１の凹面１１１に当接されて圧入される。このとき、クサビ体２３の内側の側面２３３が踏み板取付け用凸部２４の内側面２４３と接するように圧入されていく。そして、クサビ体２３が圧入されていくにしたがい、踏み板取付け用凸部２４の内側面２４３に沿ってクサビ体２３が移動するため、クサビ体２３の外側面２３４が嵌合凹部１１の内壁面１１２と接するようになり、結果として、クサビ体挿入用切込み部２５とそこに圧入されてなるクサビ体２３と踏み板取付け用凸部２４とからなる嵌合凸部２２は嵌合凹部１１と強固に嵌合される。
【図面の簡単な説明】
【００２４】
【図１】本願発明における踏み板と桁との固定構造を説明するための断面図である。
【図２】本願発明の階段の踏み板の固定構造を示した斜視図である。
【図３】本願発明におけるクサビ体の一実施形態を示した斜視図である。
【図４】本願発明の別の階段の踏み板の固定構造を説明するための断面図である。
【図５】オープン階段の一例を示した斜視図である。
【図６】（ａ）従来技術による踏み板の固定構造を示した分解側面図である。（ｂ）（ａ）の踏み板固定構造のＡ―Ａ線断面図である。
【符号の説明】
【００２５】
１  踏み板
１１  嵌合凹部
１１１  凹面
１１２  内壁面
２  桁
２１  踏み板挿入部
２２  嵌合凸部
２３  クサビ体
２３１  先端部
２３２  後背面
２３３  側面
２３４  外側面
２４  踏み板取付け用凸部
２４１  前端部
２４１ａ  右前端部
２４１ｂ  左前端部
２４２  前端面
２４３  内側面
２５  クサビ体挿入用切込み部
３  壁
４  側板
【図１】
0004735238.tif 000002
【図２】
0004735238.tif 000003
【図３】
0004735238.tif 000004
【図４】
0004735238.tif 000005
【図５】
0004735238.tif 000006
【図６】
0004735238.tif 000007